Podtech/llm-jp-corpus-v4-ja_patent huggingface dataset:
(57)【要約】【課題】トルマリン含有の凸部、又は土踏まず形状の凸部を設けたサンダル、又は履物を履き、風呂に入浴中に背もたれの反対側の風呂の内側面を使用して適度な強弱をもって足裏指圧する健康に良い風呂用足裏指圧履物を提供する。【解決手段】足裏指圧履物を風呂の中で履き、背もたれの反対側の風呂の内側面を利用して足で履物の凸部を強弱をつけて押し足裏を指圧する。履物の凸部にはトルマリンの粉末が含有しており、トルマリンの特性を有効に利用したことを特徴とする風呂用足裏指圧履物。【選択図】  図１
2006239334.tif 000002
【特許請求の範囲】
【請求項１】
サンダル、又は履物の上面、足と接触部品の中央部が足裏の土踏まずのような形状に盛り上がった状態にし、全面に凸部を有する風呂用足裏指圧履物。
【請求項２】
サンダル、又は履物の上面の凸部、土踏まずの凸部にトルマリン鉱石の粉末を含有させた請求項１記載の風呂用足裏指圧履物。
【請求項３】
サンダル又は履物の上面は図１のようなベルトの形状、図３のような鼻緒の形状、図５のような両足入りベルト形状、図７のような靴又は風呂用ブーツ形状のサンダルまたは履物で請求項１〜２記載の風呂用足裏指圧履物。
【請求項４】
合成樹脂製、天然ゴム製、合成ゴム製の請求項１〜３記載の風呂用足裏指圧履物。
【請求項５】
図７のブーツは足が入っているので脱ぎずらく、特徴は履物前先端、後尾と横側面に数個の穴を明け湯の中から上がったとき、水がはけやすく、又使用後、先端部を下にして、Ｓかん、又はフックに掛けて排水しやすく早く乾くようにした請求項１〜４記載の風呂用足裏指圧履物。
【発明の詳細な説明】
【技術分野】
【０００１】  本発明は、風呂に入浴中にできる足裏指圧に関するものである。
【背景技術】
【０００２】  従来は、サンダル、靴の中敷等で、足裏指圧の物があった。しかし履くと自分の体重が足裏にかなり痛み等発生し、長い間履いていることが出来なかった。又、風呂に入浴中に出来る足裏指圧は見当たらない。
【発明の開示】
【発明が解決しようとする課題】
【０００３】  それには次のような問題があった。
（イ）凸部を設けたサンダル、靴の中敷等は長い間履くと足裏に体重がかかり、かなり痛みを感じることがある。
（ロ）長時間履き歩くことは無理であった。
（ハ）凸部が足裏に合うサンダル、靴の中敷等を選ぶのは難しい。
（ニ）凸部にトルマリン鉱石の微粉末を含有したものは無い。
本発明は、以上の問題点を解決するためのものである。
【問題を解決するための手段】
【０００４】  足裏指圧履物を風呂の中で履き、背もたれの反対側におしつける、凸部が沢山有ることで足の有効指圧部を足踏みし、少しずつ位置を動かしながら足踏みするように押す。自分で足と履物の凸部の接触力を加減しながら指圧する。使用のあとは、水を切っておく。又足裏指圧履物の凸部にトルマリン鉱石の微粉末を含有させたことを特徴とする風呂用足裏指圧履物である。
【発明の効果】
【０００５】  風呂の中で背もたれの反対側にトルマリン含有の凸部を設けた足裏指圧履物を足に履き、押し付ける様にする事で、力を自分で加減する事で強く痛み等感じないようにすることが出来る。湯の中で身体を暖めており、筋肉もほぐれているので指圧効果が高まる。足裏中央部を高めにしてあるので土ふまずの位置も確認できる、又トルマリン含有により、その特性であるマイナスイオン発生、消臭効果、殺菌効果、温浴効果、美容効果等の効果が期待できる。又、風呂に入浴中に足裏指圧ができ、忙しい人にも良く、湯の中、水の中は身体が軽くなるのでプールでの水中ウオーキング、又、海岸、海中で歩くときは足を傷つけない、また、足の大小様々でも沢山の指圧凸部ある事で有効指圧部を押すことができる、そして風呂の掃除には時間がかかるため足裏指圧効果はかなり期待できる効果が生まれる。
【発明を実施するための最良の形態】
【０００６】  以下、本発明の実施の形態を説明する。
（イ）風呂の中で履けるお湯に強い合成樹脂製、合成ゴム又はゴム製のサンダルを設ける。
（ロ）サンダルの上部全面にトルマリン含有の凸部を設ける。
（ハ）サンダルの上部、足の土踏まず部に土踏まずと同じ形状のトルマリン含有の凸部を設ける。
（ニ）鼻緒、ベルトを設ける。
本発明は、以上の構成よりなっている。
これを使用する時は、浴室の中、又は風呂の中に入りながら使用する。風呂の背もたれの反対側の風呂の内側面に足裏指圧履物のサンダルを履き、足面でサンダルの凸部を押す。これを履き風呂の中に立ち左右の足で屈伸や足踏みをしても良い。サンダルの凸部にはトルマリン鉱石の微粉末を混入させる事により、トルマリンの特性であるマイナスイオン、消毒効果、消臭効果、温浴効果、美容効果等を引き出せる。
【図面の簡単な説明】
【０００７】
【図１】  本発明の平面図
【図２】  本発明の正面図
【図３】  本発明の鼻緒タイプの平面図
【図４】  本発明の鼻緒タイプの正面図
【図５】  本発明の両足用の平面図
【図６】  本発明の両足用の正面図
【図７】  本発明の他の平面図
【図８】  本発明の他の正面図
【符号の説明】
【０００８】  １  サンダル・スリッパ本体
２  バンド
３  鼻緒
４  両足用バンド
５  トルマリン含有凸部
６  土踏まず凸部
７  穴
【図１】
2006239334.tif 000003
【図２】
2006239334.tif 000004
【図３】
2006239334.tif 000005
【図４】
2006239334.tif 000006
【図５】
2006239334.tif 000007
【図６】
2006239334.tif 000008
【図７】
2006239334.tif 000009
【図８】
2006239334.tif 000010
(57)【要約】【課題】  透明なガラスプレートを備えた、フレームに入れた絵の保護パネルを提供する。このパネルは、フレーム内に配置するものとして、フレームに入れた絵を保護するための前面と任意選択により背面を形成する形式のものである。【解決手段】  この保護パネルは、ガラスプレートの片側に柔軟で、透明な、自己接着性のシートを取り付けた形で構成されることを特徴とする。【選択図】  図３
2006239432.tif 000002
【特許請求の範囲】
【請求項１】
ベルグラスと呼ばれる形式の透明なガラスプレートを備えた形式の、フレームに入れた絵の保護パネルにおいて、
この保護パネルが、このガラスプレートの片側に柔軟で、透明な、自己接着性のシートを取り付けた形で構成されることを特徴とする保護パネル。
【請求項２】
当該の柔軟で、透明な、自己接着性のシートが、プラスチック材料から構成されることを特徴とする請求項１に記載の保護パネル。
【発明の詳細な説明】
【技術分野】
【０００１】
この発明は、フレームに入れた絵の保護パネルに関し、このパネルは、フレーム内に配置するものとして、フレームに入れた絵を保護するための前面と任意選択により背面を形成する形式のものである。
【背景技術】
【０００２】
現在、カンバス、写真、リトグラフなどの絵を表示、展示するために、フレーム構成手段が使用されており、その手段は、通常フレームの前面を形成するガラスから成る透明な前面パネルと、透明又は不透明な背面パネルと、前面パネル、背面パネル、並びに両方のパネルの間に配置されたフレームに入れた絵の端を覆う周囲を取り囲むフレームとで構成される。
【０００３】
このガラスの前面パネルは、出来る限り正しくかつ精確に内部の絵を見せるように、出来る限り透明である必要がある。しかし、従来のガラスには、画像を見る際に邪魔となる反射又は眩しさが生じる場合がある。更に、このガラスの厚さは、フレームに入れた絵の重さに大きく影響する。これらの影響を最小限にすることを目的として、当該の眩しさを最小限にする対反射面の措置を施した、ベルグラス（Velglas ）と呼ばれる形式の特殊なガラスプレートがしばしば使用される。
【発明の開示】
【発明が解決しようとする課題】
【０００４】
このガラスプレートは、重量を軽くし、更に場合によっては起こり得る光学的な難点を最小限とすることを目的として、出来る限り薄いものでなければならない。しかし、そのような薄いプレートには、非常に壊れ易く、その残留物が複数の非常に危険な鋭い先端を持つ破片及び断片を生じさせる可能性が有るという問題がある。
【課題を解決するための手段】
【０００５】
この発明によるフレームに入れた絵の保護パネルは、ガラスプレートを備えており、このパネルを構成する一つのガラス又は複数のガラスが衝撃を受けた、或いは壊れた場合に、フレーム構造の安全性と使用者個人の安全性を増大させる構成要素を組み入れていることを特徴とする。
【０００６】
この発明では、この保護パネルは、ガラスプレートの片側に固定した、柔軟で、透明な、自己接着性のシートで構成される。この柔軟で、透明な、自己接着性のシートは、プレスチック材料から構成される。
【０００７】
好ましくは、カンバス又は同等の物へのフレームの取り付けを行う場合、このガラスプレートに固定するプラスチックシートをフレームに入れるカンバス又は絵と対向させた形で、この保護パネルを配備する。
【０００８】
ガラスプレートが割れた場合、破片が、この柔軟なシートに付着して付いた状態で残るので、この柔軟なシートは、より大きな安全性を提供する。このようにして、このシートは、破片が地面に落ちることと、展示したカンバス又は絵を損傷する可能性とを防止している。
【０００９】
この保護パネルは、フレームに入れた絵の前面と背面の両方を保護するために使用することができる。
【発明を実施するための最良の形態】
【００１０】
この明細書を補完するとともに、この発明の特徴の理解を助けることを目的として、図面の簡単な説明に挙げた一連の図面を明細書に添付するが、これらの図面は、図示するためのものであり、この発明に制限を加えるものではない。
【００１１】
図１から分かる通り、この発明の対象である保護パネル１は、ベルグラスと呼ばれる形式の薄いガラスプレート１１と、このガラスプレート１１の片面に固定した柔軟で、透明な、自己接着性のシート１２とから構成される。
【００１２】
この保護パネル１は、図２に図示した通り、周囲を取り囲むフレーム３を用いて、絵２をフレームに入れる際に使用することができる。
【００１３】
この保護パネル１は、図３に図示した通り、フレームに入れた絵２の前面と背面の両方を保護するために、或いは図４に図示した通り、フレームに入れた絵２の前面だけを保護するために使用することができ、後者のケースでは、木、ボール紙又は同等の物から成る従来の硬いパネル４を用いて、絵２の背面を保護している。
【００１４】
何れにせよ、この保護パネルの柔軟なシート１２は、フレームに入れた絵２に対向する形に置くものと規定する。
【００１５】
この発明の特徴とその好ましい実施形態を十分に記述したが、如何なる意図及び目的に対しても、その変更が、この発明の請求項の基本的な特徴を変更することに該当しない限り、前述した構成要素の材料、形状、サイズ、構成を変更しても良いものと言える。
【図面の簡単な説明】
【００１６】
【図１】柔軟で、自己接着性のシートを片側に適用したベルグラス形式のガラスプレートから構成される、この柔軟なシートの角の一つを見易くするために剥がした、この発明による保護パネルの実施形態の斜視図
【図２】フレームに入れた保護パネルの斜視図
【図３】二つの保護パネルをフレームに入れた絵の前面側と背面側に対向させた形の分解斜視図
【図４】背面の保護パネルを木、ボール紙又は同等の物から成る硬い支持プレートと交換した形の図３と同様の分解斜視図
【符号の説明】
【００１７】
１    この発明による保護パネル
２    絵
３    フレーム
４    従来のパネル
１１    ガラスプレート
１２    シート
【図１】
2006239432.tif 000003
【図２】
2006239432.tif 000004
【図３】
2006239432.tif 000005
【図４】
2006239432.tif 000006
【外国語明細書】
2006239432.tif 000007
2006239432.tif 000008
2006239432.tif 000009
2006239432.tif 000010
2006239432.tif 000011
2006239432.tif 000012
(57)【要約】【課題】  震災時の非常事態下でのトイレ装置として、色々の提案がなされているが、いずれもコスト的、使い勝手等、課題があるが、浄化槽に改良を加えることに着眼し課題を解決した。【解決手段】  浄化槽本体１の上部に装着するマンホール蓋２又は、浄化槽本体１の上部のほぼ平坦面のそれぞれ一部に簡易移動便器３の脚部4を嵌着可能とする貫通孔５を設けた浄化槽及びこの浄化槽を利用した非常用トイレ装置を提供する。【選択図】  図２
2006239597.tif 000002
【特許請求の範囲】
【請求項１】
浄化槽本体の上部に装着するマンホール蓋の一部に、簡易移動便器
脚部を嵌着可能とする貫通孔を設けたことを特徴とする浄化槽。
【請求項２】
浄化槽本体上部のほぼ平坦面の一部に、簡易移動便器の脚部を嵌着能とする貫通孔を設けたことを特徴とする浄化槽。
【請求項３】
浄化槽本体の上部に装着するマンホール蓋の一部又は、浄化槽上部のほぼ平坦面の一部に貫通孔を設け、上記貫通孔に簡易移動便器の脚部を嵌着したことを特徴とする浄化槽を利用した非常用トイレ装置。
【発明の詳細な説明】
【技術分野】
【０００１】
本発明は、震災等非常事態下において有用なトイレ装置を提供する浄化槽の
改良及び同浄化槽を利用した非常用トイレ装置に関する。
【背景技術】
【０００２】
従前より震災等の非常事態下でのトイレ装置として、通常のマンホール蓋に代えて便器付マンホール蓋を用いるもの（例えば、特許文献１参照）や、通常使用するマンホール蓋そのものを非常時には便器として転換使用できるように構造等を改良したもの（例えば、特許文献２参照）が知られている。
【特許文献１】特開平８−２２９５４１号公報
【特許文献２】特開平１１−３０３１１３号公報
【発明の開示】
【発明が解決しようとする課題】
【０００３】
しかしながら、特許文献１に開示の発明は、非常時には、通常時使われているマンホールを取り除き、それに代えて仮設便所として使用し得るマンホール蓋を提供するものである。その都度重いマンホール蓋を取り換えなければならないので、その普及には、課題があると思われる。
【０００４】
また、特許文献２に開示の発明は、マンホール蓋そのものを取り換えるのではないので、上述の課題は、いくらか解決しているが、マンホール蓋に相当の構造の改良を必要としコスト高となる。
【０００５】
したがって、本発明は、浄化槽に改良を加えて、コスト安で使い勝手の良い非常用トイレ装置を提供することを目的とする。
【課題を解決するための手段】
【０００６】
本発明請求項１に記載の発明は、浄化槽本体の上部に装着するマンホール蓋の一部に、簡易移動便器の脚部を嵌着可能とする貫通孔を設けたことを特徴とする浄化槽である。簡易移動便器の脚部を嵌め合わせ装着できるような貫通孔を浄化槽に設け、通常はこの貫通孔は蓋をされるが、非常時にはこの蓋がはずされ、別途用意している簡易移動便器の脚部をしっかりと嵌め合わせて使用するようにしたものである。
【０００７】
本発明請求項２に記載の発明は、浄化槽本体上部のほぼ平坦面一部に、簡易移動便器の脚部を嵌着可能とする貫通孔を設けたことを特徴とする浄化槽である。上述の請求項１に記載の発明と異なる点は、貫通孔を設ける場所を浄化槽のマンホール蓋とせず浄化槽本体上部のほぼ平坦面の一部とすることであるが、請求項１記載の発明とほぼ同様の効果が得られる。貫通孔を通常時は塞ぐべく蓋をすることはいうまでもない。
【０００８】
本発明請求項３に記載の発明は、浄化槽本体の上部に装着するマンホール蓋の一部又は浄化槽本体上部のほぼ平坦面の一部に貫通孔を設け、上記貫通孔に簡易移動便器の脚部を嵌着したことを特徴とする浄化槽を利用した非常用トイレ装着である。
【発明の効果】
【０００９】
本発明は、上述のような構成の浄化槽及び同浄化槽を利用した非常用トイレ装置であり、浄化槽に少しの改良を加えるだけで、非常用トイレ装置が実現できる。
尚、本発明の効用は浄化槽設備地域に限られるが、いわゆる公園等に設置されているマンホールと違い、重量的にも軽く取扱いも簡便である。又、排泄物は、浄化槽内に溜まるので、断水の事態になっても何ら問題ない。
【発明を実施するための最良の形態】
【００１０】
以下、本発明の実施例につき、図面を参照しながら説明する。
図１は、本発明の一実施例における浄化槽の斜視図、図２は、同じく一実施例における簡易移動便器の斜視図である。
図１、図２において、１は浄化槽本体、２はその本体１の上部に装置するマンホール蓋であり、マンホール蓋２の一部に簡易移動便器３の脚部４を嵌着可能とする貫通孔５が設けられている。貫通孔は、マンホール蓋の一部でなくても浄化槽本体１の上部のほぼ平坦面の一部に設けてもよく、その場合の貫通孔を貫通孔５‘として図示している。尚、マンホール蓋はガラス繊維強化プラスチックであることが一般的あるが、限定されるものではない。
【図面の簡単な説明】
【００１１】
【図１】本発明の一実施例における浄化槽の斜視図である。
【図２】本発明の一実施例における簡易移動便器の斜視図である。
【符号の説明】
【００１２】
１  浄化槽本体
２  マンホール蓋
３  簡易移動便器
４  脚部
５  貫通孔
【図１】
2006239597.tif 000003
【図２】
2006239597.tif 000004
(57)【要約】      （修正有）【課題】好みの大きさで製作出来、かつ手首へも楽に装着出来、しかも、ゴムひも製の物に比べ、耐久性に優れた腕輪念珠を提供する。  【解決手段】親珠４、親玉５、複数の小玉６、四天玉７へひも２を通し、輪を形成し、ひも２の両端をボサ１へ通し、つゆ玉３でボサ１の抜けを防止する。ボサ１をつゆ玉３の方にスライドさせ、親珠４も同様にスライドさせれば、親珠４、親玉５、複数の小玉６、四天玉７の各々に隙間が出来、輪の内周が大きくなる。手首に挿入した後、つゆ玉３を持ち、ボサ１をつゆ玉３から離す様にスライドさせれば、親珠４、親玉５、複数の小玉６、四天玉７の各々の隙間が無くなり、装着出来る。しかも使用するひも２は、仏事用の念珠に使用するひも２を用いた腕輪念珠。【選択図】図１
2006239259.tif 000002
【特許請求の範囲】
【請求項１】
内周を変化させ、かつ耐久性の有ることを特徴とする腕輪念珠
【発明の詳細な説明】
【技術分野】
【０００１】
この発明は、腕輪念珠の構成に関するものである。
【背景技術】
【０００２】
従来の腕輪念珠は、使用用途、好みにより構成部品は異なるが、図３に示すように、ひも２が、ボサ１から入り親玉Ａ４、親玉Ｂ５、複数の小玉６、四天玉７を通りボサ１から出て輪を形成し、ひも２を編んで構成部品を固定させている。
【０００３】
もしくは図４に示すように、複数の小玉８を連結させるひもを、図３で使用するひも２の代わりに、伸縮性の有るゴムひも９の物を使用している。
【発明の開示】
【発明が解決しようとする課題】
【０００４】
しかしながら、以上の技術によれば、前者図３では腕輪念珠の内周は変化しない為、
手首に掛ける時に、個人差により入れにくい場合があり、また手首ではかなりの余裕が出来てしまう。
【０００５】
後者図４では腕輪念珠の内周が変化し、入れやすく、手首ではフィットするが、連結させるひもがゴムひも９の為、前者図３のひも２に比べ伸びたり、切れたりと耐久性に問題がある。
【課題を解決するための手段】
【０００６】
以上の課題を解決するために、この発明は、内周を変化させ、かつ耐久性の有ることを特徴とする腕輪念珠である。
【発明の効果】
【０００７】
この発明によれば、内周を変化させるため、好みの大きさで製作出来、かつ手首へも楽に装着出来る。
【０００８】
しかも使用するひもは、仏事用の念珠に使用するひもを用いる為、ゴムひも製の物に比べ、耐久性に優れる。
【発明を実施するための最良の形態】
【０００９】
この発明の一実施形態を、図１に示す。
この腕輪念珠は親珠Ａ４、親玉Ｂ５、複数の小玉６、四天玉７へひも２を通し、輪を形成し、ひも２の両端をボサ１へ通し、つゆ玉３でボサ１の抜けを防止する。
【００１０】
通常、輪を形成したひも２は、ボサ１を通った後、編み込んで処理しているが、図１に示すとおり、ひも２は編み込まず、つゆ玉で処理をする。
【００１１】
図２の様に、ボサ１をつゆ玉３の方にスライドさせ、親珠Ａ４も同様にスライドさせれば、親玉Ａ４、親玉Ｂ５、複数の小玉６、四天玉７の各々に隙間が出来ることにより輪の内周が大きくなる。
【００１２】
手首に挿入した後、つゆ玉３を持ち、ボサ１をつゆ玉３から離す様にスライドさせれば、親玉Ａ４、親玉Ｂ５、複数の小玉６、四天玉７の各々の隙間が無くなり、腕輪念珠の装着が完了する。
【００１３】
「実施形態の効果」
この実施形態によれば、製作時に好みの大きさで製作出来、装着時にもゴムひも製品と同様に片手で、楽に装着出来る。
【００１４】
「他の実施形態」
図１は、ボサ１、ひも２、２個のつゆ玉３、親玉Ａ４、親玉Ｂ５、５４個の小玉６、４個の四天玉７で構成される、二輪腕輪念珠の図であるが、使用用途、好みにより親玉Ｂ５、小玉６、四天玉７の数、有無を変化させ、二輪以外の腕輪念珠でも同様である。
【図面の簡単な説明】
【００１５】
【図１】この発明の一実施形態を示す図である。
【図２】図１の輪の内径を変化させる過程を示す図である。
【図３】従来技術の輪の内径を変化出来ない物の図である。
【図４】従来技術のゴムひも製品の図である。
【符号の説明】
【００１６】
１    ボサ
２    ひも
３    つゆ玉
４    親珠Ａ
５    親玉Ｂ
６    小玉
７    四天玉
８    小玉
９    ゴムひも
【図１】
2006239259.tif 000003
【図２】
2006239259.tif 000004
【図３】
2006239259.tif 000005
【図４】
2006239259.tif 000006
(57)【要約】      （修正有）【課題】歯茎を傷つける事が多くなく、歯間の食物滓を効果的効果的に取り除くデンタルブルームを提供する。【解決手段】厚さ約10〜30ミクロンの延伸性フィルムを原料とし、その中央部は延伸される結果引張り強度が高く、厚さがデンタルフロスの約1/5〜1/10程度と薄い為、歯茎を傷つける事無く容易に歯間に引きこむ事が出来る。又端部は柔らかく且つ幅が広い為、歯と歯の隙間の大小に拘わらず、食物滓を容易に掻き落すことが出来る。【選択図】図１
2006239225.tif 000002
【特許請求の範囲】
【請求項１】
下記段落番号0008の特徴を持ち、図（a）に示す形状の中央部が延伸され、少なくとも一方の端部が未延伸又は十分延伸されていない事を特徴とする、食物滓を取り除く為のフィルムストリップ。
【請求項２】
上記請求項１のフィルムストリップが、図（b）に示す様に連続して連なったフィルム。
【請求項３】
上記請求項２のフィルムストリップにおいて、図（c）に示す様に各ストリップがミシン目において分離出来る事を特徴とするフィルムストリップ。
【請求項４】
図（d）に示す連続したデンタルブルームを一定の使用長さに切断することの出来る繰り出し装置
【発明の詳細な説明】
【技術分野】
【０００１】
歯間に挟まった食物滓の効果的な除去に関する技術
【背景技術】
【０００２】
歯ブラシでは取れない歯間に残された食物滓を取り除く方法として、従来はデンタルフロスが一般的に使われてきた。
然るに、従来のデンタルフロスはその断面積が長さ方向に同じである為、食物滓を
掻き落す機能に限度があった。
更に、デンタルフロスはその断面積が大きい為、歯間に引き込む際歯茎に傷を付ける事もしばしば見受けられる。
又、一部にはデンタルフィルムもデンタルフロスに代わるものとして考案されている
が、効果的な食物滓を取り除く手段としては実用化されていない。
【特許文献１】特開平11−128251
【特許文献２】特開平05−184605
【０００３】
本発明のデンタルブルームの製作方法
（図 ｆ）にその製作方法の一例を示す。
この製造装置は下記要素にて構成される。
・原反フィルムロール  （A）
・原反フィルムを一定速度で繰り出すニップロール  （B）
・フィルムの延伸を容易にするための加熱ロール  （C）
・デンタルブルームを切り離す為のミシン目入れ装置  （D）
・一定テンションでフィルムの加熱部を延伸しつつ、連続したデンタルブルームを製造し巻取る装置  （E）
・広幅フィルム原反を約10〜30ｍｍにスリットするスリッター  （F）
【０００４】
デンタルブルーム製造方法の説明
１）  
一定の幅に整えられた、延伸性を持つ十分軟らかいフィルムテープを、原反（A
よりニップロール（B）により一定の速度で繰り出す。
加熱ロール（C）も同時にフィルムを挟み一定の速度でフィルムを繰り出す。
２）  
加熱ロールはその円周の一部が加熱されており、加熱部に接触したフィルム
がそのニップ点を出た後、巻き取り装置（E）のテンションにより、容易に延伸するため延伸部と未延伸部が交互に出来、連続したデンタルブルームを作ることが出来る。
３）  
又装置（D）により未延伸部分にミシン目を入れる事により、デンタルブルーム使
用の際容易に切断する事が出来る。
４）  
更にニップロールの前にスリッター（F）を設置する事により、幅広原反から同時
に多数のデンタルブルームの巻き取りロールを製作する事が出来る。
【図面の簡単な説明】
【０００５】
【図１】の（図a）使用出来る状態にあるデンタルブルームで、薄くて柔らかい遠心性フィルムを素材とし、延伸された中央部と未延伸の端部よりなる。中央部の厚さは延伸により約3〜10ミクロンでデンタルフロスの1/5〜1/10と薄く、端部は厚さ約10〜30ミクロン、約10〜30mmの長さを持つ。
【図１】の（図b）連続して連なったデンタルブルーム
【図１】の（図c）使用時に切断するためのミシン目の入ったデンタルブルーム
【図１】の（図d）デンタルブルームの繰り出し装置
【図１】の（図e）デンタルブルームの使用例。
【図１】の（図f）デンタルブルームの製作方法例
【図１】
2006239225.tif 000003
【手続補正書】
【提出日】平成17年5月20日(2005.5.20)
【手続補正１】
【補正対象書類名】特許請求の範囲
【補正対象項目名】全文
【補正方法】変更
【補正の内容】
【特許請求の範囲】
【請求項１】
厚さ約10〜30ミクロン、幅約8〜20mm、長さ約5〜15cmの軟い遠心性フイルムの少なくとも一方の
端部を約10〜20mm残し、その他の部分を完全延伸すると延伸部分の引張り強度が大幅に増大し、
厚さは大幅に薄くなる。この様に延伸されたフイルム片（フイルムストリップと称す）は、その両端部を
持ち押す事により、狭い歯間でも切断される事無く容易に引込む事が可能で、軟くて広い無延伸の端部が
歯間部を通過する方向に引抜く事により、歯間の食物滓を効果的に掻き落す事が出来る。
この様に歯間の食物滓を取り除く為の延伸されたフイルムストリップ。
【請求項２】
上記請求項１のフイルムストリップが連続して繋がり使用の際上記請求項１の
状態に切断して使用できるフイルムストリップ。
【請求項３】
上記請求項2に於いて、切断部分に予めミシン目を入れたフイルムストリップ。
【手続補正書】
【提出日】平成17年7月15日(2005.7.15)
【手続補正１】
【補正対象書類名】特許請求の範囲
【補正対象項目名】全文
【補正方法】変更
【補正の内容】
【特許請求の範囲】
【請求項１】
厚さ10〜30ミクロン、幅10〜30mmの軟い延伸性フィルムの少なくとも一方の
端部を10〜30ｍｍ残し延伸させたフィルムストリップであって、その両端部を持ち押す事により、狭い歯間に引込む事が可能で、軟らかくて広い無延伸の端部の一方を歯間部を通過する方向に引き抜く事により、歯間の食物滓を効果的に掻き落す事が出来る、歯間の食物滓を取り除く為の延伸されたフィルムストリップ。
【請求項２】
上記請求項１のフィルムストリップが連続して繋がり、使用の際上記請求項１の状態にして使用できるフィルムストリップ。
【請求項３】
上記請求項２に於いて、切断部に予めミシン目を入れたフィルムストリップ。
(57)【要約】【課題】測量値、土地情報を直接現地で記録し読み取る情報記録装置を開発し、測量業務、土地維持管理の迅速化をはかる。【解決手段】測点での測量値（座標等）、土地情報（土地面積、境界や地主名先）を記録する媒体としてＩＣチップ等の電子式記録装置を使用し、これを錨に埋め込み測点杭、境界杭等に取り付けることにより、情報の記録、読み取りを、直接現地でおこなうことができる。【選択図】      図１
2006216007.tif 000002
【特許請求の範囲】
【請求項１】
三角点、基準点、筆界点、水準点、境界点での測点及び土地管理に関わる情報を記録し読み取る情報記録装置において、この情報を記録する媒体としてＩＣチップ等の電子式記録装置を使用し、これを錨に埋め込み杭等に貼り付けあるいは埋め込み、直接現地に設置することにより、情報の記録、読み取りを、直接現地でおこなうことができる、測点及び土地管理情報記録装置。
【発明の詳細な説明】
【発明の詳細な説明】
【発明が属する技術分野】
【０００１】本発明は、測点及び土地管理情報記録装置において、特に、この情報を記録する媒体としてＩＣチップ等の電子式記録装置に記録しこれを錨に埋め込み杭等に貼り付けあるいは埋め込み、直接現地に取り付けることにより、現地にて測量値や土地管理に関わる情報を記録、読み取りすることができる、測点及び土地管理情報記録装置に関するものである。
【背景技術】
【０００２】従来、この種の三角点、基準点、筆界点、水準点、境界点記録は、図面、書類として記録し、それぞれの管轄する機関で管理保管している。【０００３】ところが、従来の図面、書類による管理方法では、三角点、基準点、筆界点、水準点、境界点などの測量値や土地面積、境界や地主名などの土地管理に関する情報を各関係する機関で閲覧する必要があり、膨大な時間を要する欠点があった。
【発明が解決しょうとする課題】
【０００４】解決しょうとする問題点は、測点及び土地管理に関わる記録や読み出しを直接現地でおこなえることである。
【０００５】  本発明はこのような背景に鑑みなされたものであって、測量値や土地管理情報を現地で記録、読み出しが可能な、測点及び土地管理情報記録装置を提供することである。
【課題を解決するための手段】
【０００６】以下の文章は参考用
即ち、本出願に係る発明たる測点及び土地管理情報記録装置は、測量に関わる数値（座標等）、土地に関わる情報（土地面積、境界や地主名等）を記録する媒体としてＩＣチップ等の電子式記録装置に記録し、ＩＣチップ等の電子式記録装置を錨に埋め込み杭等に貼り付けあるいは埋め込み、この杭を三角点、基準点、筆界点、水準点、境界点等に打ち込むことにより、直接現地で情報を保存できることを特徴とする。
【発明を実施するための最良の形態】
【０００７】本発明では、測点及び土地管理情報記録装置において、情報を記録する媒体としてＩＣチップ等の電子式記録装置に記録し、ＩＣチップ等の電子式記録装置を錨に埋め込み杭等に貼り付けあるいは埋め込み、この杭を三角点、基準点、筆界点、水準点、境界点等に打ち込むことにより、現地にて測量値及び土地情報を記録、読み取りすることができる、測点及び土地管理情報記録装置を得ることを実現した。
【実施例】
【０００８】図１は本発明たる測量値及び土地管理情報記録装置の一実施例を示す断面図であり、１に測量値、土地情報を記録する媒体としてＩＣチップ等の電子式記録装置配置し、２にこのＩＣチップ等の電子式記録装置との情報を記録、読み取りする機器への接続用ソケットを配置し、３に雨水や異物の浸入を防ぐカバーを配置し、４に前述の１，２，３を収納する錨形筐体を配置し、杭等に貼り付けあるいは埋め込み現地に直接設置する構造となっている。【０００９】この構造により、測量値、土地面積、境界や地主名などの情報を直接現地にて記録し保存できる。【００１０】  図２は測点、土地管理情報記録装置の取付け例であり、８は入力された機器に読み書きされたデータを示す。【００１１】また、本実施例ではＩＣチップ等の電子式記録装置との情報を記録、読み取りする機器への接続用ソケットを配置したが、接続用のソケットを配置せず、磁気や光信号や電波信号による通信等の接続方法も可能であり、接続用のソケットによる電気信号のみに固定するものでは無い。
また、本実施例では筐体と道路に打ち込む錨の槍が一体形であるが、特に一体形に固定するものではなく、プレート式、ボタン形で接着やネジ等で貼り付ける構造でもかまわない。
【発明の効果】
【００１２】以上述べた如く本発明によれば、測量に関わる数値（座標等）、土地に関わる情報（土地面積、境界や地主名等）などを記録する媒体としてＩＣチップ等の電子式記録装置を使用し、これを錨に埋め込み測点杭、境界杭等に取り付けることにより、情報の記録、読み取りを、直接現地でおこなうことができ、測量、土地管理維持に無駄な時間を費やすことがなく、また、地下埋設物情報記録装置（特願２００３−３１３２５０）と兼用して使用すれば、一般家屋での土地管理、埋設物情報としても適用できる。
【図面の簡単な説明】
【図１】本発明の測点及び土地管理情報記録装置断面図
【図２】本発明の測点及び土地管理情報記録装置に記録された設置例。
【符号の説明】
１  ＩＣチップ等の電子式記録装置
２  接続用ソケット
３  カバー
４  錨形筐体
５  情報を記録、読み取りする機器
６  取り付け例
７  測点及び土地管理情報記録装置
８  測点杭
９  情報データー例
【図１】
2006216007.tif 000003
【図２】
2006216007.tif 000004
(57)【要約】【課題】図２の従来の方法では、期限付き商品は人目につかないまま、期限切れとなって廃棄処分される商品が多くあり無駄であった。【解決手段】図１のビジネスモデルによりインターネットで公開することにより、より多くの人目について、期限切れ商品の廃棄を少なくし無駄を最小限にすることで解決される。【選択図】図１
2006216003.tif 000002
【特許請求の範囲】
【請求項１】
本発明は、インターネットを通して、期限間じかの期限付き商品の販売支援を行う期限付き商品の販売方法及び記憶媒体に関する。
【請求項２】
請求事項１に関するインターネットによる予約システムのビジネスモデルに関する。
【発明の詳細な説明】
【技術分野】
【０００１】  本発明は、販売店で販売される全ての期限間じかの期限付き商品をインターネットを通して、販売支援を行う期限間じかの期限付き商品の販売予約方法及び記憶媒体に関する。
【背景技術】
【０００２】  販売店で販売される期限間じかの期限付き商品の販売方法は、店頭においてワゴンの中に陳列、または棚などに陳列してあった、買い手が無い場合はその商品は廃棄処分とされて損失を出していた。
【発明の開示】
【発明が解決しようとする課題】
【０００３】  しかしながら、このビジネスモデルによれば、インターネットによって、これら期限間じかの期限付き商品を公開し、買い手に予約してもらい、その商品の買い手を得るビジネスモデルである、また従来の方法でワゴンまたは棚に陳列されている場合もあり人目に触れる機会が少なく、場合によっては幾重にも重なっているために人目につきにくく、その商品は放置されて在庫の廃棄処分に繋がっていた、そこでこの課題は損失を最小限にするための方法である。
【課題を解決するための手段】
【０００４】  以上の課題を解決するために、第一発明は、期限間じかの期限付き商品をインターネットで公開し、より多くの人に見てもらい、その商品が必要な買い手はインターネットまたは他の通信方法で予約をしてもらい、その後に買い手が販売店に予約品を求めて支払と受領を行うか、場合によっては配達集金することにより、期限切れ商品の数量を減少させ、期限付き商品の損失を最小限にするための手段である。
【発明の効果】
【０００５】  第一発明によるビジネスモデルは商品販売の効率向上の手助けとなり、廃棄される期限切れ商品の数量を減少させ、省エネ、省資源にも役立つものである。
【発明を実施するための最良の形態】
【０００６】  この発明の一実施形態を、図１に示す。
販売店、インターネット、買い手の流れを示す図である【０００７】「実施形態の効果」
この実施形態によれば、広範囲に多種類の期限付き商品が広範囲に渡って検索でき、売れ残り商品を確実に減少させることが出来る。【０００８】「他の実施形態」
図１の実施形態では、買い手側からのメリットとしては、欲しい期限付き商品が確実に入手できて、売り手側からは期限切れ商品の廃棄数量を減少させ、環境破壊防止にも役立つ効果がある。
【図面の簡単な説明】
【０００９】
【図１】この発明の一実施形態を示すフロー図である
【図２】従来ビジネスモデルを示すフロー図である
【図１】
2006216003.tif 000003
【図２】
2006216003.tif 000004
(57)【要約】【課題】  商店街や店舗等では集客力を高めるために、より目立つ電飾装置が要望されることがある。本発明は上記の要望に応えるべく、２色の発光色が一定方向に移動していくように見えるチューブ状電飾装置を提供することを目的とする。【解決手段】  発光色が異なる２つの半導体発光素子が互いに逆極性となるように並列接続されて内蔵されている２色ＬＥＤランプ（１）が２個以上直列接続されたＬＥＤ連結回路（２）と電流をオンオフ制御するスイッチ素子（３）が直列接続されたＬＥＤ点灯回路が少なくとも２回路以上並列接続されて成るＬＥＤ発光部と、ＬＥＤ発光部に所定の点灯周波数の交流電力を供給する交流電源部（４）と、交流電源部（４）の電圧が所定の極性となっている時にのみスイッチ素子（３）を選択的にオンさせる位相制御回路（５）を備え、さらにＬＥＤ連結回路（２）は透明または半透明のチューブに内蔵する。【選択図】  図１
2006216522.tif 000002
【特許請求の範囲】
【請求項１】
発光色が異なる２つの半導体発光素子が互いに逆極性となるように並列接続されて内蔵されている２色ＬＥＤランプが２個以上直列接続されたＬＥＤ連結回路と電流をオンオフ制御するスイッチ素子が直列接続されたＬＥＤ点灯回路が少なくとも２回路以上並列接続されて成るＬＥＤ発光部と、前記ＬＥＤ発光部に所定の点灯周波数の交流電力を供給する交流電源部と、前記交流電源部の電圧が所定の極性となっている時にのみ前記スイッチ素子を選択的にオンさせる位相制御回路を備え、さらに前記ＬＥＤ連結回路が透明または半透明のチューブに内蔵されていることを特徴とするチューブ状電飾装置。
【発明の詳細な説明】
【技術分野】
【０００１】  本発明は電飾装置に関する。
【背景技術】
【０００２】  商店街や店舗等において、集客力を向上させる目的で白熱電球やＬＥＤ等の発光素子を多数連結した電飾装置を用いて樹木や建物等を飾り立てることがあるが、その１手段として図３のようなチューブ状電飾装置が知られている（例えば、非特許文献１参照。）。図４に示すように、チューブ状電飾部（７）には等間隔に電球が内蔵されており、互いに隣り合う点灯電球（１２）と消灯電球（１１）の位置はコントローラー（８）によって制御され、全体として電球の光が一定方向に流れているように見える。
【非特許文献１】  「フローラインミニ」パンフレット、富士化学工業株式会社
【発明の開示】
【発明が解決しようとする課題】
【０００３】  商店街や店舗等では集客力を高めるために、より目立つ電飾装置が要望されることがある。本発明は上記の要望に応えるべく、２色の発光色が一定方向に移動していくように見えるチューブ状電飾装置を提供することを目的とする。
【課題を解決するための手段】
【０００４】  本発明は上記の目的を達成するためのものであり、発光色が異なる２つの半導体発光素子（６）が互いに逆極性となるように並列接続されて内蔵されている２色ＬＥＤランプ（１）が２個以上直列接続されたＬＥＤ連結回路（２）と電流をオンオフ制御するスイッチ素子（３）が直列接続されたＬＥＤ点灯回路が少なくとも２回路以上並列接続されて成るＬＥＤ発光部と、ＬＥＤ発光部に所定の点灯周波数の交流電力を供給する交流電源部（４）と、交流電源部（４）の電圧が所定の極性となっている時にのみスイッチ素子（３）を選択的にオンさせる位相制御回路（５）を備え、さらにＬＥＤ連結回路（２）が透明または半透明のチューブに内蔵されていることを特徴とする。【０００５】  このように構成されたチューブ状電飾装置は図２に示すように、２色ＬＥＤランプに印加される電圧Ｖの極性が正である時のみスイッチ素子（３）をオンさせれば半導体発光素子（６ａ）のみが発光し、電圧Ｖの極性が負である時のみスイッチ素子（３）をオンさせれば半導体発光素子（６ｂ）のみが発光する。従って、位相制御回路（５）によってスイッチ素子（３）のオンオフを適切に制御することにより、２色の発光色が一定方向に流れているように見せることができる。
【発明の効果】
【０００６】  ２色の発光色が一定方向に移動していくように見えるチューブ状電飾装置を提供することが可能となる。
【発明を実施するための最良の形態】
【０００７】  全体構成は、従来のチューブ状電飾装置と同様であり、図３に示すようにコントローラー（８）とチューブ状電飾部（７）とから成る。チューブ状電飾部（７）は４回路のＬＥＤ連結回路（２）がよじり合わされたものが可とう性透明ビニールチューブ内に内蔵されて成っており、コントローラーは図５に示す回路で構成され、ホトカプラ（１３）によって交流電源部（４）の極性を検出し、ＣＰＵ（１４）でスイッチ素子（３）のオンオフを図６に示すタイミングで制御することで２色の発光色が一方向に流れているように見える。
【図面の簡単な説明】
【０００８】
【図１】本発明の全体回路を示した図である。
【図２】２色ＬＥＤランプの構成を示した図である。
【図３】チューブ状電飾装置の全体構成を示した図である。
【図４】従来のチューブ状電飾装置の点滅方式を示した図である。
【図５】コントローラーの回路図である。
【図６】コントローラーに内蔵されているスイッチ素子のオンオフのタイミングを示した図である。
【符号の説明】
【０００９】１  ２色ＬＥＤランプ
２  ＬＥＤ連結回路
３  スイッチ素子
４  交流電源部
５  位相制御回路
６  半導体発光素子
７  チューブ状電飾部
８  コントローラー
９  出力ケーブル
１０  電源コード
１１  消灯電球
１２  点灯電球
１３  ホトカプラ
１４  ＣＰＵ
１５  電源トランス
１６  ブリッジダイオード
１７  ３端子レギュレーターＩＣ
【図１】
2006216522.tif 000003
【図２】
2006216522.tif 000004
【図３】
2006216522.tif 000005
【図４】
2006216522.tif 000006
【図５】
2006216522.tif 000007
【図６】
2006216522.tif 000008
(57)【要約】【課題】  重要なメッセージが廃棄されずに表示される可能性を高める。【解決手段】  メッセージ処理部１は、メッセージ送信部４へ送信バッファ３中のメッセージをネットワーク７を介して表示装置８へ表示することを指示する。メッセージ処理部１は、メッセージ送信部４からの送信結果を解析し、メッセージが送信されていない場合、キー設定部５で予め設定された重要性判定キーワード６にて送信できなかったメッセージが重要メッセージか判定し、重要メッセージである場合、再度、メッセージ送信部４へ送信を指示することにより、重要メッセージが表示されない課題を解決する。【選択図】      図１
2006260006.tif 000002
【特許請求の範囲】
【請求項１】
メッセージの重要性を判断するキーワードを自由に設定する手段と、設定されたキーワードに基づいてメッセージの重要性を判断し、重要でないメッセージは廃棄し、重要メッセージは再送により表示させる手段とを備えたことを特徴とするメッセージ制御方式。
【発明の詳細な説明】
【技術分野】
【０００１】
本発明はメッセージ制御方式に関し、特に、メッセージ制御方式に関する。
【背景技術】
【０００２】
少量のメッセージしかキューイングできないリアルタイム処理装置にて、障害などのメッセージをネットワークの高負荷などの理由で出力されない場合、重要なメッセージも表示できない。
【０００３】
メッセージの優先度に従い、メッセージの処理順番を変更するメッセージ処理方式の一例が、特許文献１に記載されている。
【０００４】
この公報に記載されたメッセージ処理方式は、メッセージとともに送付されてきた優先度に基づき、メッセージの処理順番を変更している。
【０００５】
【特許文献１】特開平０４−２５３２５１号公報（第２頁、図１）
【発明の開示】
【発明が解決しようとする課題】
【０００６】
しかし、上述した従来技術には、次のような問題点があった。
【０００７】
第１の問題点は、メッセージの廃棄を行わないため、大量のメッセージをキューイングするための記憶手段を必要としていることである。
【０００８】
第２の問題点は、メッセージの重要性判断方法を柔軟に変更できないことである。
【０００９】
本発明の目的は、以上の問題点を解決するメッセージ処理方式を提供することにある。
【課題を解決するための手段】
【００１０】
本発明のメッセージ制御方式は、メッセージの重要性を判断するキーワードを自由に設定する手段と、設定されたキーワードに基づいてメッセージの重要性を判断し、重要でないメッセージは廃棄し、重要メッセージは再送により表示させる手段とを備えたことを特徴とする。
【発明の効果】
【００１１】
本発明の効果は、重要なメッセージが廃棄されずに表示される可能性を高めることが出来ることである。
【００１２】
その理由は、重要なメッセージか判断して重要なメッセージのみを再送する機能を有していることにある。
【発明を実施するための最良の形態】
【００１３】
次に、本発明を実施するための最良の形態について図面を参照して詳細に説明する。図１は、本発明の実施の形態の構成を示すブロック図である。
【００１４】
図１を参照すると、本実施の形態は、メッセージ処理部１と、受信バッファ２と、送信バッファ３と、メッセージ送信部４と、キー設定部５と、重要性判定キーワード６と、ネットワーク７と、表示装置８を含む。
【００１５】
メッセージ処理部１は、受信バッファ２中のメッセージを送信バッファ３を介して、メッセージ送信部４へメッセージ送信を指示する。メッセージ送信部４で送信が失敗した場合、メッセージが重要性判定キーワード６に一致するか判定し、一致した場合は、再送をメッセージ送信部４へ送信する。
【００１６】
メッセージ送信部４は、メッセージ処理部１からの指示に基づき、送信バッファ３中のメッセージをネットワーク７を経由して表示装置８に表示する。また、送信結果をメッセージ処理部１へ返却する。
【００１７】
キー設定部５は、メッセージの重要性の判定に用いるキーワードを重要性判定キーワード６に設定する。
【００１８】
次に、本発明を実施するための最良の形態の動作について図１を参照して説明する。
【００１９】
メッセージ処理部１は受信バッファ２中のメッセージを送信バッファ３へ転送し、メッセージ送信部４へネットワーク７経由で表示装置へメッセージを送信することを指示する。メッセージ送信部４は、メッセージを送信するとともに、送信結果をメッセージ処理部１へ返す。
【００２０】
メッセージ処理部１は、送信結果が成功の場合は、受信バッファ２中の次のメッセージを同様に処理する。失敗の場合は、受信バッファ２中のメッセージが重要性判定キーワード６を含んでいるか判定し、含んでいる場合は重要メッセージと判断し、送信バッファ３中のメッセージの再送信をメッセージ送信部４へ指示する。含んでいない場合は送信バッファ３中のメッセージを廃棄し、受信バッファ２中の次のメッセージを処理する。
【００２１】
キー設定部５は、受信が始まる前に予め、重要メッセージ中に含まれるキーワードを、重要性判定キーワード６に設定する。
【００２２】
本実施の形態の処理を行うことにより、より優先度の高いメッセージを失うこと無く、表示させることができる。
【図面の簡単な説明】
【００２３】
【図１】本発明の実施の形態の構成を示すブロック図である。
【符号の説明】
【００２４】
１    メッセージ処理部
２    受信バッファ
３    送信バッファ
４    メッセージ送信部
５    キー設定部
６    重要性判定キーワード
【図１】
2006260006.tif 000003
(57)【要約】      （修正有）【課題】パソコンまたは携帯電話を利用して商品の注文をする技術とフランチャイズ加盟店または本社等に設置してリアルタイムで注文内容を印刷して統計的管理をする注文受付端末機を提供。【解決手段】注文者はパソコンまたは携帯電話でサーバに接続し希望商品を注文して本人が直接商品を受け付ける場合は予約時間を入力し、配達を希望すれば時間や場所を入力すると注文書が加盟店端末機にリアルタイムで注文内容が印刷され、注文者には注文内容や注文番号がパソコンまたは携帯電話に転送される。注文者は商品を受け取る際、パソコン又は携帯電話に転送された注文内容や注文番号をお店に見せて注文者の確認を取る。注文受付端末機は注文をリアルタイムで受け付けして注文内容を時間別、日別、週間別、月別、等の統計機能を提供して、フランチャイズ加盟店又は代理店で売り切れた商品もサーバに伝達される事で注文者が売り切れの商品を注文しないように管理する。【選択図】なし【特許請求の範囲】
【請求項１】
（請求項１の１）注文受付ソフトウェアの技術
（０００１）パソコンまたは携帯電話で注文受付
（０００２）特定のお店に注文書の内容転送及び転送結果の確認
（０００３）特定のお店から注文者の携帯電話に注文確認書転送
【請求項２】
（請求項２の１）注文受付及び管理端末機
（０００１）電話線又はインターネットを通じてサーバで注文内容を受付
（０００２）注文の受付が完了したら完了信号をサーバへ転送する
（０００３）注文内容を印刷後サーバのデータベースへ保存
（０００４）売り切れの商品情報が発生した場合はサーバの方にデータを転送
（０００５）注文内容を利用してお店の売上を統計して経営分析をする
【請求項３】
（請求項３の１）オンラインでリアルタイム注文とリアルタイム受付に関する手順
（手順１）パソコンまたは携帯電話で特定のお店に注文する
（手順２）特定のお店に設置されてある端末機で注文の受付をして受付確認報告をサーバに転送後注文書を印刷する
（手順３）注文内容が正確に受け付けされると注文者のパソコンまたは携帯電話に注文受付確認書を転送する
（手順４）注文者がパソコンで注文した場合は注文受付確認書を印刷、または携帯電話で注文した場合は携帯に転送された注文受付確認書をお店の人に提示して商品を受け取る
【発明の詳細な説明】
【発明の目的】
本発明はフランチャイズ又は直営事業の注文の処理を効率的に処理が出来る技術と製品を提供して販売者側には人件費の節減と共に注文処理の生産性を高めてる事が出来るし、購入者側にはパソコン又は携帯電話を利用して、いつどこでも注文出来るように便利な環境を提供して、販売者と購入者共に利益と便利さを与えるのを目的とする。
【発明の技術分野及び従来の技術】
【０００１】発明の細部的構成としては使用者が接続して注文出来る注文受付ソフトウェアは受付された注文を処理するソフトウェアが内蔵された注文受付端末機及び管理端末機で構成されてある。
また本発明はお弁当や、ピザ店等飲食店のフランチャイズ又は直営事業に適用が適合な特定された発明で多数の加盟店又は特定のお店を選択して使用者が直接注文出来るようにするし、受付側でもお店に設置されてある端末機から注文書をリアルタイムで自動で印刷されるし注文確認書が注文者側のパソコンや携帯電話に注文確認書をリアルタイムで自動で転送される。
【０００２】注文の決済は先払い、後払い全部選択出来るようになっている。
【０００３】注文受付端末機及び管理端末機は注文書の印刷だけではなく注文の内訳の統計的管理の機能が可能ですので、データベース化され、注文の傾向と注文数量等の予測が可能になるので、注文処理の効率を高められるように設計されて、お店に売り切れの商品をすぐサーバに転送出来る事で注文者が売り切れの商品を注文してエラーが発生しないように設計されてある。
【０００４】注文受付ソフトウェア：サーバに設置されてあるし、ウェッブ（ＷＥＢ）とワップ（ＷＡＰ）を全部支援する。
注文したい特定のお店を選べられるようになっているし、注文が完了したら該当お店に注文書をリアルタイムで転送する。
注文が完了したら注文者のパソコン又は携帯電話に注文確認書を転送する。
注文の決済は先払い、後払い全部選択出来るようになっている。
【０００５】注文受付端末機及び管理端末機：タッチ入力機能があるＬＣＤモニターとコントローラ、小型プリンターが一体化された構造でインターネットに接続されたサーバから注文書を貰い印刷をする、注文内訳はデータベース化して管理する。
保存されたデータベースを利用して時間別、日別、週間別、月別、商品別注文の数量を統計的資料で提供する事でこれからの注文を予測可能にする。
特定商品の売り切れの場合、タッチモニターで商品の売り切れを表示する。
【発明が解決しようとする課題】
【０００１】パソコンまたは携帯電話を利用して注文を受付して決済をする技術
【０００２】サーバからインターネットにバーチャルＩＰアドレスに接続されてある特定端末機へ正確に注文内容を転送し転送結果を確認する通信技術
【０００３】注文確認内容を注文者の携帯電話へ転送する技術
【０００４】サーバからの注文内容をリアルタイムで送信されその注文書を印刷する技術
【０００５】端末機から修正内容をサーバにリアルタイムで処理する技術
【０００６】端末機に受け付けたデータを統計分析する技術
【発明の構成】
【０００１】発明は購入者が接続して注文出来る注文受付ソフトウェアと受付された注文を処理するソフトウェアが内蔵された注文受付及び端末機と構成される。
【０００２】受付及び端末機はタッチパネルが設置されたモニター、小型プリンタ、コントローラで構成され電話線又はインターネットに接続されサーバと通信を行う。